(57)【特許請求の範囲】
【請求項１】
車両の屋根部に形成された開口部を開閉可能な可動パネルの開作動に連動させて、前記開口部における透光を調整可能なサンシェードを開作動可能な車両用ルーフ装置において、
前記開口部の車両幅方向両縁部に配設され、車両前後方向に延在する一対のガイドレールと、
前記可動パネルの車両幅方向縁部に連係されて、前記ガイドレールに沿って車両前後方向に移動自在に設けられ、車両前後方向に移動することで全閉状態の前記可動パネルをチルト状態に移行させるとともに、前記可動パネルを開作動させる摺動部材と、
前記可動パネルの下面における車両前側部位に固定された支持ブラケットと、
前記支持ブラケットに取着され、該支持ブラケットへの取付部位よりも車両前側で下向きに延設された係合部を有する係合部材と、
前記係合部の車両後方で前記サンシェードから上向きに延設され、前記可動パネルの開作動に伴い前記係合部に押圧される被係合部材とを備え、
前記可動パネルが全閉状態からチルトアップ状態に移行する間、前記被係合部材に対し、前記係合部が車両前方に離隔されていることを特徴とする車両用ルーフ装置。
【請求項２】
請求項１に記載の車両用ルーフ装置において、
前記両ガイドレールの車両前側端部に連結されて車両幅方向に延在するフロントハウジングを備え、
前記係合部材の前記取付部位は取付孔であり、
前記係合部材は、前記取付孔に挿通される締結具によって前記支持ブラケットに締結され、
前記係合部は、前記取付孔よりも車両幅方向内側に配置されていることを特徴とする車両用ルーフ装置。
【請求項３】
請求項２に記載の車両用ルーフ装置において、
前記取付孔は、車両前後方向への調整代を有する長孔状であることを特徴とする車両用ルーフ装置。
【請求項４】
請求項２又は請求項３に記載の車両用ルーフ装置において、
前記係合部材は、前記締結具を車室内から覆う遮蔽部を有することを特徴とする車両用ルーフ装置。
【請求項５】
請求項１〜４のいずれか一項に記載の車両用ルーフ装置において、
前記被係合部材は、前記係合部よりも拡幅されていることを特徴とする車両用ルーフ装置。
【請求項６】
請求項１〜５のいずれか一項に記載の車両用ルーフ装置において、
前記摺動部材を車室内から覆うガーニッシュを備え、
前記係合部材は、前記ガーニッシュの上方を車両幅方向に跨いで前記係合部を下向きに延設することを特徴とする車両用ルーフ装置。
【発明の詳細な説明】
【技術分野】
【０００１】
本発明は、車両の屋根部に形成された開口部を開閉可能な可動パネルの開作動に連動させて、開口部における透光を調整可能なサンシェードを開作動可能な車両用ルーフ装置に関するものである。
【背景技術】
【０００２】
従来、こうした車両用ルーフ装置としては、例えば特許文献１に記載されたものが知られている。図８に示すように、この車両用ルーフ装置は、可動パネル９１の開閉作動に機械的に連動させてサンシェードパネル９２を開閉作動させる連動機構９３を備えている。すなわち、連動機構９３は、可動パネル９１に設けられる第１係合部材９４及び第２係合部材９５と、サンシェードパネル９２に設けられて第１係合部材９４及び第２係合部材９５とそれぞれ上下方向に係合する第１被係合部材９６及び第２被係合部材９７とを備える。
【０００３】
そして、例えば可動パネル９１の開作動時には、チルトアップ状態にある可動パネル９１が後方に移動する際、第１係合部材９４が第１被係合部材９６を押圧することで、サンシェードパネル９２がこれに連動して開作動する。
【先行技術文献】
【特許文献】
【０００４】
【特許文献１】特開２０１１−５９６０号公報
【発明の概要】
【発明が解決しようとする課題】
【０００５】
ところで、特許文献１では、可動パネル９１に設けられた第１係合部材９４が、その取付部位から略直下に垂下している。このため、例えば可動パネル９１が全閉状態からチルトアップ動作する際には、これに伴って第１係合部材９４の下端が第１被係合部材９６に近付くように揺動することになり、該第１被係合部材９６が押されてサンシェードパネル９２が応動する可能性がある。
【０００６】
本発明の目的は、可動パネルの開作動に連動させてサンシェードを開作動可能な車両用ルーフ装置において、可動パネルが全閉状態からチルト動作する際のサンシェードの応動をより確実に抑制することができる車両用ルーフ装置を提供することにある。
【課題を解決するための手段】
【０００７】
上記問題点を解決するために、請求項１に記載の発明は、車両の屋根部に形成された開口部を開閉可能な可動パネルの開作動に連動させて、前記開口部における透光を調整可能なサンシェードを開作動可能な車両用ルーフ装置において、前記開口部の車両幅方向両縁部に配設され、車両前後方向に延在する一対のガイドレールと、前記可動パネルの車両幅方向縁部に連係されて、前記ガイドレールに沿って車両前後方向に移動自在に設けられ、車両前後方向に移動することで全閉状態の前記可動パネルをチルト状態に移行させるとともに、前記可動パネルを開作動させる摺動部材と、前記可動パネルの下面における車両前側部位に固定された支持ブラケットと、前記支持ブラケットに取着され、該支持ブラケットへの取付部位よりも車両前側で下向きに延設された係合部を有する係合部材と、前記係合部の車両後方で前記サンシェードから上向きに延設され、前記可動パネルの開作動に伴い前記係合部に押圧される被係合部材とを備え、前記可動パネルが全閉状態からチルトアップ状態に移行する間、前記被係合部材に対し、前記係合部が車両前方に離隔されていることを要旨とする。
【０００８】
同構成によれば、例えば前記可動パネルが全閉状態からチルト動作する際に前記係合部が前記被係合部材に近付くように揺動したとしても、前記係合部が前記取付部位よりも車両前側に位置する分だけ、前記被係合部材に干渉しにくくできる。これにより、前記可動パネルが全閉状態からチルト動作する際の前記サンシェードの応動をより確実に抑制することができる。そして、前記可動パネルが開作動する際には、前記係合部に前記被係合部材が押圧されることで、これに連動して前記サンシェードを開作動させることができる。
【０００９】
請求項２に記載の発明は、請求項１に記載の車両用ルーフ装置において、前記両ガイドレールの車両前側端部に連結されて車両幅方向に延在するフロントハウジングを備え、前記係合部材の前記取付部位は取付孔であり、前記係合部材は、前記取付孔に挿通される締結具によって前記支持ブラケットに締結され、前記係合部は、前記取付孔よりも車両幅方向内側に配置されていることを要旨とする。
【００１１】
請求項３に記載の発明は、請求項２に記載の車両用ルーフ装置において、前記取付孔は、車両前後方向への調整代を有する長孔状であることを要旨とする。
【００１２】
同構成によれば、例えば前記係合部材等の製造ばらつきや組付けばらつきなどで前記係合部が前記フロントハウジングに近付いたとしても、前記取付孔の車両前後方向への調整代の範囲で前記係合部を位置調整することで、該係合部が前記フロントハウジングに干渉することを抑制できる。
【００１３】
請求項４に記載の発明は、請求項２又は請求項３に記載の車両用ルーフ装置において、前記係合部材は、前記締結具を車室内から覆う遮蔽部を有することを要旨とする。
同構成によれば、前記締結具は、前記係合部材の前記遮蔽部により車室内から覆われることで、前記締結具の露出による見栄えの悪化を抑制することができる。
【００１４】
請求項５に記載の発明は、請求項１〜４のいずれか一項に記載の車両用ルーフ装置において、前記被係合部材は、前記係合部よりも拡幅されていることを要旨とする。
同構成によれば、例えば前記摺動部材や前記係合部材等の製造ばらつきや組付けばらつきなどで前記係合部が前記被係合部材に対して車両幅方向に位置ずれしたとしても、前記係合部よりも拡幅された範囲で該係合部及び前記被係合部材の係合をより確実に実現することができる。
【００１５】
請求項６に記載の発明は、請求項１〜５のいずれか一項に記載の車両用ルーフ装置において、前記摺動部材を車室内から覆うガーニッシュを備え、前記係合部材は、前記ガーニッシュの上方を車両幅方向に跨いで前記係合部を下向きに延設することを要旨とする。
【００１６】
同構成によれば、前記摺動部材は、前記ガーニッシュにより車室内から覆われることで、前記摺動部材の露出による見栄えの悪化を抑制することができる。また、前記係合部材は、前記ガーニッシュの上方を車両幅方向に跨いで前記係合部を下向きに延設しているため、前記ガーニッシュによって前記係合部（係合部材）及び前記被係合部材の係合が阻害されることを抑制できる。
【発明の効果】
【００１７】
本発明では、可動パネルの開作動に連動させてサンシェードを開作動可能な車両用ルーフ装置において、可動パネルが全閉状態からチルト動作する際のサンシェードの応動をより確実に抑制することができる車両用ルーフ装置を提供することができる。
【図面の簡単な説明】
【００１８】
【図１】本発明の一実施形態を模式的に示す平面図。
【図２】（ａ）（ｂ）は、同実施形態の全閉状態及びポップアップ状態を示す縦断面図。
【図３】同実施形態を示す横断面図。
【図４】同実施形態を示す斜視図。
【図５】係合部材を示す平面図。
【図６】（ａ）（ｂ）は、同実施形態を示す斜視図。
【図７】（ａ）〜（ｃ）は、全閉状態、チルトアップ状態及びポップアップ状態での被係合部材及び係合部材の配置関係を示す縦断面図。
【図８】従来形態を示す縦断面図。
【発明を実施するための形態】
【００１９】
図１〜図７を参照して本発明の一実施形態について説明する。なお、以下では、車両前後方向を「前後方向」といい、車両高さ方向上方及び下方をそれぞれ「上方」及び「下方」という。また、車室内方に向かう車両幅方向内側を「車内側」といい、車室外方に向かう車両幅方向外側を「車外側」という。
【００２０】
図１に示すように、自動車などの車両の屋根部としてのルーフ１０には、車両用ルーフ装置１１が搭載されている。すなわち、ルーフ１０には、開口部としての略四角形のルーフ開口部１０ａが形成されるとともに、例えばガラス板からなる略四角形の可動パネル１２が設置されている。そして、車両用ルーフ装置１１は、ルーフ開口部１０ａの車両幅方向両側縁部に配置・固定される一対のガイドレール１３を備える。各ガイドレール１３は、例えばアルミニウム合金の押出材からなり、長手方向に一定断面を有して前後方向に延在する。
【００２１】
各ガイドレール１３には、摺動部材１４が前後方向に移動可能に案内支持されている。そして、両摺動部材１４には、これらの間に橋渡しされる態様で可動パネル１２の車両幅方向両側縁部が連係・支持されている。摺動部材１４は、ガイドレール１３に沿う移動に伴い、ルーフ開口部１０ａを開閉すべく可動パネル１２を移動させる。
【００２２】
また、車両用ルーフ装置１１は、両ガイドレール１３の車両前側端部に連結されて車両幅方向に延在する、例えば樹脂材からなるフロントハウジング１５を備える。このフロントハウジング１５の長手方向中間部には、駆動部材１６（例えば電動モータ）が設置されている。この駆動部材１６は、両摺動部材１４に駆動連結されており、これら摺動部材１４を同時に前後方向に移動駆動する。両摺動部材１４の前後方向への移動に伴い、可動パネル１２が開閉作動することは既述のとおりである。
【００２３】
なお、可動パネル１２は、その前側部位を支点に後側部位が上昇するチルトアップ動作、前側部位及び後側部位が共に上昇するポップアップ動作、及び前後方向へのスライド動作可能に取り付けられている。図２（ａ）（ｂ）に示すように、可動パネル１２によるルーフ開口部１０ａの開閉作動においては、ポップアップ状態のままスライド動作する、いわゆるアウタースライディング式が採用されている。
【００２４】
さらに、ルーフ１０には、可動パネル１２の車両幅方向各縁部の下方で前後方向に延在する略長尺状のガーニッシュ１９が立設されている。このガーニッシュ１９は、摺動部材１４等を車室内から覆うためのもので、その前端部は、可動パネル１２等との干渉を抑制するために車両前方に向かって尖鋭になるように成形されている。
【００２５】
また、ルーフ１０には、可動パネル１２の下方で、例えば樹脂板からなる略四角形のサンシェードパネル１７が設置されている。このサンシェードパネル１７は、ルーフ開口部１０ａにおける透光を調整するためのもので、前後方向に移動可能に設けられている。すなわち、図３に示すように、車両用ルーフ装置１１は、前記ガイドレール１３の車内側に隣接してルーフ開口部１０ａの車両幅方向両側縁部に配置・固定される一対のサンシェード用ガイドレール１８を備える。各サンシェード用ガイドレール１８は、車内側に開いた断面略Ｅ字状の一定断面を有して前後方向（図３において紙面に直交する方向）に延在する。サンシェードパネル１７は、その車両幅方向各縁部がサンシェード用ガイドレール１８に装着されることで、該サンシェード用ガイドレール１８を摺動しつつ前後方向に移動する。そして、サンシェードパネル１７は、前後方向への移動に伴いルーフ開口部１０ａを開閉することで、該ルーフ開口部１０ａにおける透光を調整する。なお、図２（ａ）に示すように、サンシェードパネル１７の全閉状態では、該サンシェードパネル１７の前端及びガーニッシュ１９の前端の前後方向における位置が互いに略一致している。
【００２６】
ここで、サンシェードパネル１７の前端部上面には、各ガーニッシュ１９（サンシェード用ガイドレール１８）の車内側に隣接して被係合部材２１が設置されている。図４に併せ示すように、この被係合部材２１は、サンシェードパネル１７の前端部上面に載置・固定される略四角形の底壁部２１ａと、該底壁部２１ａの前後方向中間部から上向きに延設された略四角形の縦壁部２１ｂとを有する。また、被係合部材２１は、縦壁部２１ｂよりも車両前側となる底壁部２１ａの車両幅方向縁端及び縦壁部２１ｂの下端部における車両幅方向縁端を２辺とする略三角形の一対のフランジ２１ｃを有する。さらに、被係合部材２１は、縦壁部２１ｂの上端部における車両幅方向縁端から車両前側に突設されるとともに下端でフランジ２１ｃに繋がるリブ状の一対の規制片２１ｄを有する。つまり、被係合部材２１は、縦壁部２１ｂの前側で車両高さ方向に連通する略Ｕ字溝形状を呈しており、フランジ２１ｃにおいて下方に向かうに従い前後方向に深くなっている。
【００２７】
一方、図３に示すように、可動パネル１２の下面には、各ガイドレール１３の上側で、例えば金属板からなる支持ブラケット２２が固定されている。従って、支持ブラケット２２は、基本的にサンシェード用ガイドレール１８（及び被係合部材２１）よりも車外側に配置されている。なお、前記摺動部材１４は、支持ブラケット２２において可動パネル１２の車両幅方向縁部に連係されている。
【００２８】
そして、各支持ブラケット２２の前端部には、略水平に車内側に広がる略平板状の取付ブラケット２３が固着されるとともに、該取付ブラケット２３には、その上面に重ね合わされた係合部材２５が締結具としてのねじ２４により締結されている。この係合部材２５は、その芯材となる金属製のプレート２６に樹脂製の成形部２７を一体形成したものである。
【００２９】
プレート２６は、取付ブラケット２３の上面に重ね合わされて車内側に広がる取付部２６ａを有するとともに、該取付部２６ａの車内側端から下向きに延びる下延部２６ｂを有する。図５に併せ示すように、取付部２６ａは、車内側に向かうに従い車両前側に向かうように傾斜しており、先端に向かって徐々に縮幅されている。また、取付部２６ａの基端部には、略円形の挿通孔２６ｃが形成されるとともに、該挿通孔２６ｃの車両前側で前後方向に延在する取付部位としての略長円形の挿通孔２６ｄが形成されている。これら挿通孔２６ｃ，２６ｄは、前後方向に並設された一対の前記ねじ２４を挿通するためのものである。なお、挿通孔２６ｄを長孔状としているのは、取付ブラケット２３（可動パネル１２側）への係合部材２５の取り付けにおいて前後方向への調整代を確保するためである。
【００３０】
図３に示すように、成形部２７は、プレート２６の取付部２６ａの車内側端部を埋設する本体部２７ａを有するとともに、該本体部２７ａの車内側端に繋がって下延部２６ｂを埋設する略直方体状の下延部２７ｂを有する。両下延部２６ｂ，２７ｂは、協働して係合部２８を形成する。この係合部２８は、挿通孔２６ｄ（可動パネル１２への取付部位）よりも車両前側に配置されている。また、係合部２８は、被係合部材２１よりも車両幅方向の幅が小さく設定されており、該被係合部材２１（両規制片２１ｄ間）の車両幅方向の範囲に収まって該被係合部材２１の車両前側に配置されている。つまり、係合部２８は、車両後方への移動軌跡が被係合部材２１（縦壁部２１ｂ）に遮られるように配置されている。
【００３１】
また、図６（ａ）（ｂ）に示すように、成形部２７は、本体部２７ａの車外側端に繋がって車両後方に突出する略鋭頭状の遮蔽部２９を有する。この遮蔽部２９は、両ねじ２４の頭部２４ａを車室内から覆うためのものである。
【００３２】
なお、係合部材２５は、取付ブラケット２３を介してガーニッシュ１９を車両幅方向に跨ぐことで、該ガーニッシュ１９の車内側に係合部２８を下向きに延設している。これにより、係合部材２５がガーニッシュ１９に干渉することが回避されている。そして、図７（ａ）（ｂ）に示すように、可動パネル１２の全閉状態及びチルトアップ状態では、係合部２８は、被係合部材２１（底壁部２１ａ）に対し車両前方に離隔されており、少なくとも可動パネル１２が全閉状態〜チルトアップ状態間を推移するときの揺動に際して被係合部材２１との干渉が回避されている。一方、図７（ｃ）及び図４に示すように、可動パネル１２がポップアップ状態のまま車両後方にスライド動作を行うと、係合部２８は、被係合部材２１（縦壁部２１ｂ）を車両後方に押圧する。従って、可動パネル１２の開作動時には、係合部２８（係合部材２５）及び被係合部材２１の係合によって、サンシェードパネル１７が一体で開作動する。
【００３３】
次に、本実施形態の動作について説明する。
図７（ａ）に示す可動パネル１２の全閉状態において、駆動部材１６に駆動される両摺動部材１４が車両後方に移動すると、図７（ｂ）に示すように、該摺動部材１４に連係された可動パネル１２がチルトアップ状態に移行する。このとき、可動パネル１２の揺動に伴って係合部２８の下端が被係合部材２１に近付くものの、係合部２８が被係合部材２１に対し車両前方に離隔されていることで、該被係合部材２１との干渉が回避される。特に、係合部２８が挿通孔２６ｄ（可動パネル１２への取付部位）よりも車両前側に位置する分だけ、被係合部材２１との干渉がより確実に回避される。そして、可動パネル１２が全閉状態からチルトアップ動作する際のサンシェードパネル１７の応動がより確実に抑制される。
【００３４】
続いて、駆動部材１６に駆動される両摺動部材１４が車両後方に更に移動すると、図７（ｃ）に示すように、該摺動部材１４に連係された可動パネル１２がポップアップ状態に移行する。このとき、可動パネル１２が車両後方に移動し始めて、係合部２８が被係合部材２１に当接又は近接する。従って、駆動部材１６に駆動される両摺動部材１４が車両後方に更に移動すると、係合部２８（係合部材２５）及び被係合部材２１の係合によって、サンシェードパネル１７が一体で開作動する。
【００３５】
以上詳述したように、本実施形態によれば、以下に示す効果が得られるようになる。
（１）本実施形態では、例えば可動パネル１２が全閉状態からチルトアップ動作する際に係合部２８が被係合部材２１に近付くように揺動したとしても、係合部２８が両挿通孔２６ｃ，２６ｄよりも車両前側に位置する分だけ、被係合部材２１に干渉しにくくできる。これにより、可動パネル１２が全閉状態からチルトアップ動作する際のサンシェードパネル１７の応動をより確実に抑制することができる。そして、ポップアップ状態にある可動パネル１２が開作動する際には、係合部２８に被係合部材２１が押圧されることで、これに連動してサンシェードパネル１７を開作動させることができる。
【００３６】
（２）本実施形態では、係合部材２５は、前後方向への調整代を有する長孔状の挿通孔２６ｄに挿通されるねじ２４によって取付ブラケット２３（可動パネル１２の車両前側部位）に締結されている。従って、例えば係合部材２５等の製造ばらつきや組付けばらつきなどで係合部２８が前記フロントハウジング１５に近付いたとしても、挿通孔２６ｄの前後方向への調整代の範囲で係合部２８を位置調整することで、該係合部２８がフロントハウジング１５に干渉することを抑制できる。
【００３７】
（３）本実施形態では、ねじ２４（頭部２４ａ）は、係合部材２５の遮蔽部２９により車室内から覆われることで、ねじ２４の露出による見栄えの悪化を抑制することができる。
【００３８】
（４）本実施形態では、被係合部材２１（縦壁部２１ｂ）は、係合部２８よりも車両幅方向に拡幅されている。このため、例えば摺動部材１４や係合部材２５等の製造ばらつきや組付けばらつきなどで係合部２８が被係合部材２１に対して車両幅方向に位置ずれしたとしても、係合部２８よりも拡幅された範囲で該係合部２８及び被係合部材２１の係合をより確実に実現することができる。
【００３９】
（５）本実施形態では、摺動部材１４は、ガーニッシュ１９により車室内から覆われることで、摺動部材１４の露出による見栄えの悪化を抑制することができる。また、係合部材２５は、ガーニッシュ１９の上方を車両幅方向に跨いで係合部２８を下向きに延設しているため、ガーニッシュ１９によって係合部２８（係合部材２５）及び被係合部材２１の係合が阻害されることを抑制できる。
【００４０】
（６）本実施形態では、係合部材２５（及び取付ブラケット２３）を、支持ブラケット２２とは別部品としたことで、例えばフロントハウジング１５やサンシェードパネル１７との配置関係が異なる車種であっても、係合部材２５の変更のみで対応することができる。特に、係合部材２５は、長孔状の挿通孔２６ｄにおいて前後方向への調整代を有することで、前記異なる車種であっても、係合部材２５を変更することなく対応できる可能性がある。
【００４１】
（７）本実施形態では、係合部材２５を可動パネル１２側（支持ブラケット２２）に固定したことで、可動パネル１２が全閉状態からチルトアップ動作する際の前後方向の移動量を、例えば摺動部材（１４）に固定した場合の当該時の前後方向の移動量に比べて縮小することができる。従って、可動パネル１２が全閉状態からチルトアップ動作する際に、係合部材２５が被係合部材２１に係合しないようにために要する前後方向の間隔を縮小することができ、ひいてはガイドレール１３や摺動部材１４を前後方向により小型化することができる。
【００４２】
つまり、摺動部材に固定した係合部材は、可動パネル１２が全閉状態からチルトアップ動作する際の摺動部材の移動量だけ前後方向に移動することになり、当該移動量で被係合部材２１と干渉することがないように該被係合部材２１の前方に十分な間隔を確保する必要がある。このため、係合部材の固定される摺動部材（及びガイドレール）も前後方向への大型化を余儀なくされる。そして、摺動部材等により大きな配置スペースが必要とされる。
【００４３】
これに対し、可動パネル１２側に固定した係合部材２５は、可動パネル１２が全閉状態からチルトアップ動作する際の揺動量に対応する前後方向の変位分だけ移動することになり、被係合部材２１の前方に確保を要する間隔が縮小される。このため、係合部材２５の固定される可動パネル１２側（支持ブラケット２２）もそのために前後方向に大型化する必要はなくなるのである。
【００４４】
また、可動パネル１２が全閉状態からチルトアップ動作する際の摺動部材の移動量は、車種に応じて異なることが一般的であるが、当該移動量に対する係合部材２５の移動量が縮小されてその影響が緩和されていることで、異なる車種への対応をより容易に行うことができる。特に、係合部材２５を変更することなく異なる車種に対応できる可能性が高くなり、汎用性を増すことができる。
【００４５】
（８）本実施形態では、取付ブラケット２３を介してガーニッシュ１９を車両幅方向に跨いだ係合部材２５の係合部２８をサンシェードパネル１７に向かって下向きに延設したことで、可動パネル１２のポップアップ状態において、被係合部材２１及び係合部材２５の車両高さ方向の係合代を十分に確保することができる。また、摺動部材（１４）に係合部材を固定する場合のように、ガーニッシュ１９を乗り越えるために係合部材を上向きに一旦延出させるとともに下向きに折り返すように延出させる必要もないことから、係合部材２５の形状をより簡素化することができ、ひいてはコストを削減することができる。
【００４６】
このように、簡易な形状で、被係合部材２１及び係合部材２５の車両高さ方向の係合代を十分に確保したことで、例えばガイドレール１３及びサンシェード用ガイドレール１８の曲率半径が異なるなど可動パネル１２の開閉位置に応じて当該車両高さ方向の係合代が変化したとしても、被係合部材２１及び係合部材２５をより確実に係合させることができる。また、可動パネル１２及びサンシェードパネル１７の車両高さ方向の距離の異なる車種であっても、係合部材２５等を変更することなく対応できる可能性がある。
【００４７】
（９）本実施形態では、ガーニッシュ１９の上方から支持ブラケット２２（取付ブラケット２３）に係合部材２５を締結できる構成としたことで、該係合部材２５の組付性を向上させることができる。あるいは、ガーニッシュ１９は、係合部材２５等に制約されることなく設置できるため、その取付構造を簡素化でき、ひいてはガーニッシュ１９及びその周辺部品のコストを削減することができる。
【００４８】
なお、上記実施形態は以下のように変更してもよい。
・前記実施形態において、被係合部材２１は、金属材、樹脂材、あるいはそれらの組み合わせからなっていてもよい。一方、係合部材２５は、金属材のみ、あるいは樹脂材のみからなっていてもよい。
【００４９】
・前記実施形態において、取付ブラケット２３は、支持ブラケット２２又は係合部材２５（プレート２６）に一体的に設けてもよい。
・前記実施形態において、取付ブラケット２３（可動パネル１２側）への係合部材２５の締結は、例えば締結具としてのかしめピンなどで行ってよい。あるいは、取付ブラケット２３（可動パネル１２側）への係合部材２５の結合は、例えば溶接などで行ってよい。
【００５０】
・前記実施形態において、摺動部材１４等を車室内から覆うガーニッシュ１９はなくてもよい。
・前記実施形態において、被係合部材２１（縦壁部２１ｂ）の車両幅方向の幅は、係合部２８の車両幅方向の幅と同等に設定してもよい。
【００５１】
・前記実施形態において、例えばねじ２４（頭部２４ａ）が車室内に露出しないように配置されている場合や、係合部材２５が溶接などで結合されている場合には、係合部材２５の遮蔽部２９はなくてもよい。
【００５２】
・前記実施形態において、挿通孔２６ｄを略円形として、前後方向への調整代をなくてもよい。
・前記実施形態において、係合部材２５の係合部２８は、ガイドレール１３の車外側に配置されていてもよい。
【００５３】
・前記実施形態において、被係合部材２１及び係合部材２５は、両ガイドレール１３間の中央部に配置されていてもよい。
・前記実施形態において、可動パネル１２によるルーフ開口部１０ａの開閉作動においては、チルトアップ状態のままスライド動作するアウタースライディング式を採用してもよいし、チルトダウン状態のままスライド動作する、いわゆるインナースライディング式を採用してもよい。
【００５４】
・本発明は、摺動部材が前方に移動することで可動パネルをチルト状態に移行させるものに適用してもよい。
・本発明は、前後方向に複数の可動パネルが並設される車両用ルーフ装置に適用してもよい。
【００５５】
・本発明は、前後方向に複数のサンシェードパネルが並設される車両用ルーフ装置に適用してもよい。この場合、可動パネル１２の開作動に全てのサンシェードパネルを連動させてもよいし、いずれか一つのサンシェードパネルのみを連動させて、当該サンシェードパネルに残りのサンシェードパネルを連動させてもよい。
【００５６】
・本発明は、いわゆる巻取式のロールシェードに適用してもよい。
・本発明は、可動パネルの閉作動に連動してサンシェードパネルを閉作動可能な車両用ルーフ装置に適用してもよい。
【符号の説明】
【００５７】
１０…ルーフ（屋根部）、１０ａ…ルーフ開口部（開口部）、１１…車両用ルーフ装置、１２…可動パネル、１３…ガイドレール、１４…摺動部材、１５…フロントハウジング、１７…サンシェードパネル（サンシェード）、１９…ガーニッシュ、２１…被係合部材、２４…ねじ（締結具）、２５…係合部材、２６…プレート、２６ｄ…挿通孔（取付孔）、２７…成形部、２８…係合部、２９…遮蔽部。
【図１】
0006035863.tif 000002
【図２】
0006035863.tif 000003
【図３】
0006035863.tif 000004
【図４】
0006035863.tif 000005
【図５】
0006035863.tif 000006
【図６】
0006035863.tif 000007
【図７】
0006035863.tif 000008
【図８】
0006035863.tif 000009